(57)【要約】【課題】一定以上の力に対しても、液晶テレビを安定して支持することが可能な液晶テレビ用スタンドを提供する。【解決手段】この液晶テレビ用スタンド２０は、ベース部材１に対して所定の角度傾斜された開状態のスタンド位置で液晶テレビ５０を支持するとともに、ベース部材１に対して閉じた閉状態でベース部材１に収納可能なスタンド部材２を含む。また、スライダ６は、スタンド部材２が閉状態から開状態に回動される際に、スタンド部材２押圧しながらスタンド部材２に当接する斜面部６ｃおよび斜面部６ｄを有する先端が尖った三角形状の断面の突起部６ｂを含む。また、スタンド部材２には、開状態で、スライダ６の斜面部６ｃに当接する切り欠き部７ｇが設けられる。また、スタンド部材２のカバー部材８の突出部８ａのスライダ６により押圧される先端部には、金属製の補強片９が取り付けられている。【選択図】図１２
2006173848.tif 000002
【特許請求の範囲】
【請求項１】
液晶テレビの背面に取り付けられるベース部材と、前記ベース部材に回動可能に取り付けられ、前記ベース部材に対して所定の角度傾斜された開状態のスタンド位置で前記液晶テレビを支持するとともに、前記ベース部材に対して閉じた閉状態で前記ベース部材に収納可能なスタンド部材とを備えた液晶テレビ用スタンドにおいて、
前記ベース部材に取り付けられ、前記スタンド部材が前記スタンド位置以上に回動するのを規制するための規制部を含む保持部材と、
前記スタンド部材の先端部を押圧するための押圧部材と、
前記押圧部材を前記スタンド部材の方向に付勢する圧縮コイルバネとをさらに備え、
前記ベース部材は、ボス部を含み、
前記押圧部材には、前記スタンド部材が前記閉状態から前記開状態に回動される際に、前記スタンド部材の先端部を押圧しながら前記スタンド部材に当接する第１斜面部および第２斜面部を有する先端が尖った三角形状の断面の突起部と、前記ベース部材のボス部に対応する部分に溝部とが設けられ、
前記スタンド部材には、前記開状態で、前記押圧部材の第１斜面部に当接する切り欠き部が設けられるとともに、前記スタンド部材の前記押圧部材により押圧される先端部には、金属製の補強片が取り付けられている、液晶テレビ用スタンド。
【請求項２】
表示装置の背面に取り付けられるベース部材と、
前記ベース部材に回動可能に取り付けられ、前記ベース部材に対して所定の角度傾斜された開状態のスタンド位置で前記表示装置を支持するとともに、前記ベース部材に対して閉じた閉状態で前記ベース部材に収納可能なスタンド部材と、
前記ベース部材に取り付けられ、前記スタンド部材が前記スタンド位置以上に回動するのを規制するための規制部を含む保持部材と、
前記スタンド部材の先端部を押圧するための押圧部材と、
前記押圧部材を前記スタンド部材の方向に付勢する圧縮コイルバネとを備え、
前記押圧部材は、前記スタンド部材が前記閉状態から前記開状態に回動される際に、前記スタンド部材の先端部を押圧しながら前記スタンド部材に当接する第１斜面部および第２斜面部を有する先端が尖った三角形状の断面の突起部を含む、表示装置用スタンド。
【請求項３】
前記スタンド部材には、前記開状態で、前記押圧部材の第１斜面部に当接する切り欠き部が設けられている、請求項２に記載の表示装置用スタンド。
【請求項４】
前記ベース部材は、ボス部を含み、
前記押圧部材には、前記ベース部材のボス部に対応する部分に溝部が設けられている、請求項２または３に記載の表示装置用スタンド。
【請求項５】
前記スタンド部材の前記押圧部材により押圧される先端部には、金属製の補強片が取り付けられている、請求項２〜４のいずれか１項に記載の表示装置用スタンド。
【発明の詳細な説明】
【技術分野】
【０００１】
この発明は、液晶テレビ用スタンドおよび表示装置用スタンドに関し、特に、スタンド部材に押圧される押圧部材を備えた液晶テレビ用スタンドおよび表示装置用スタンドに関する。
【背景技術】
【０００２】
従来、液晶テレビなどの表示装置を回動可能に支持する構造が種々提案されている（たとえば、特許文献１〜３参照）。
【０００３】
上記特許文献１には、ディスプレイ（表示装置）をシャーシに対して回動させる構造において、ディスプレイの下端部に取り付けられたクリックに等間隔に設けられた複数の凹部を、シャーシに取り付けられた板バネからなるレバーの突起に係合させることによって、ディスプレイを所定の角度位置で支持するとともに、ディスプレイの角度を段階的に変えることが可能なディスプレイのバイアス構造が開示されている。
【０００４】
また、上記特許文献２には、筐体に固定される支持部材に形成された軸に回動可能に取り付けられる脚部材を所定の位置に回動することによって、モニタテレビ（表示装置）の角度を調整する角度調整装置において、脚部材に所定の間隔を隔てて設けられた複数の係合溝に、支持部材に取り付けられた板バネの係合突起を係合させることにより、モニタテレビを所定の角度位置で支持するとともに、モニタテレビの角度を段階的に変えることが可能なモニタテレビの角度調整機構が開示されている。
【０００５】
また、上記特許文献３には、表示装置を回転可能に支持する回転軸が、スタンドに設けられた軸受部に支持される構造において、回転軸に取り付けられた弾性を有する金属板からなるカバーの両端に設けられたＵ字またはＶ字形状の両端部を、軸受部の外周部分に連続的に設けられたＵ字またはＶ字形状の溝に係合させることによって、表示装置を所定の角度位置で支持するとともに、表示装置の角度を段階的に変えることが可能な電子機器（表示装置）の取付装置が開示されている。
【０００６】
また、従来、液晶テレビ用のスタンドが知られている。図１４は、従来の一例による液晶テレビ用スタンドを液晶テレビの背面に取り付けた状態を示した正面図である。図１５〜図１７は、図１４に示した従来の液晶テレビ用スタンドの詳細構造を説明するための図である。図１４〜図１７を参照して、従来の液晶テレビ用スタンド１２０の構造について説明する。
【０００７】
従来の一例による液晶テレビ用スタンド１２０は、図１４に示すように、液晶テレビ１５０の背面１５１にネジ１６０により取り付けられるベース部材１０１と、ベース部材１０１に回動可能に取り付けられるスタンド部材１０２と、スタンド部材１０２の下部に取り付けられるゴム製の接地部材１０３とを有している。
【０００８】
また、図１７に示すように、ベース部材１０１には、金属製の保持部材１０４が取り付けられている。この保持部材１０４には、スタンド部材１０２がスタンド位置以上に回動するのを規制するための規制部１０４ａが設けられている。また、ベース部材１０１の内部には、圧縮コイルバネ１０５が嵌め込まれたスライダ１０６が配置されている。この圧縮コイルバネ１０５は、スライダ１０６をスタンド部材１０２の方向に付勢する機能を有している。また、スライダ１０６には、図１６に示すように、圧縮コイルバネ１０５が嵌め込まれるバネ嵌合孔１０６ａと、スタンド部材１０２側に突出した突起部１０６ｂとが
形成されている。このバネ嵌合孔１０６ａは、Ｄ１（約９．４ｍｍ）の深さを有するように形成されている。また、突起部１０６ｂは、平坦面部１０６ｃおよび斜面部１０６ｄを有している。
【０００９】
また、図１５および図１７に示すように、スタンド部材１０２は、樹脂製のメインスタンド１０７と、メインスタンド１０７に取り付けられる金属製のカバー部材１０８とを有している。このスタンド部材１０２は、図１７に示すように、ベース部材１０１に支持される回転軸１０９を中心に回動可能に取り付けられている。また、図１５および図１７に示すように、メインスタンド１０７は、ベース部材１０１側に形成され、曲面を有する先端部１０７ａと、回転軸１０９を挿入するための回転軸取付孔１０７ｂ（図１７参照）とを含む。また、カバー部材１０８は、カバー部材１０８の突出部１０８ａがメインスタンド１０７の先端部１０７ａよりもスライダ１０６の方向に突出するように取り付けられている。
【００１０】
図１８は、液晶テレビ用スタンド１２０の開閉動作を説明するための断面図である。次に、図１７および図１８を参照して、液晶テレビ用スタンド１２０の開閉動作を説明する。まず、図１７に示す液晶テレビ用スタンド１２０が液晶テレビ１５０の背面１５１（図１４参照）側に閉じた閉状態から、スタンド部材１０２を、図１７の矢印Ａ方向に回動させる。このとき、カバー部材１０８の突出部１０８ａが、スライダ１０６の斜面部１０６ｄに当接するとともに、斜面部１０６ｄを押圧することによって、スライダ１０６が圧縮コイルバネ１０５の付勢力に抗して、図１７の矢印Ｂ方向に移動される。さらに、この状態から、スタンド部材１０２を回動させることによって、カバー部材１０８の突出部１０８ａが、スライダ１０６の斜面部１０６ｄを越えて、平坦面部１０６ｃに当接する。そして、図１８に示すように、カバー部材１０８の突出部１０８ａが、ベース部材１０１に取り付けられる保持部材１０４の規制部１０４ａに当接するまで、スタンド部材１０２が回動される。これにより、液晶テレビ１５０を傾斜した状態で支持することが可能となる。
【特許文献１】実開平７−３７８１７号公報
【特許文献２】実開昭６１−１５６３６０号公報
【特許文献３】特開平１１−９７８６５号公報
【発明の開示】
【発明が解決しようとする課題】
【００１１】
図１４〜図１８に示した従来の液晶テレビ用スタンド１２０では、図１９に示すように、スタンド部材１０２のカバー部材１０８の突出部１０８ａが、スライダ１０６の斜面部１０６ｄを越えた回動角度位置では、カバー部材１０８の突出部１０８ａがスライダ１０６の平坦面部１０６ｃに当接することにより、圧縮コイルバネ１０５が嵌め込まれたスライダ１０６の押圧力によりスタンド部材１０２が図１９の矢印Ｃ方向に押圧される。このため、スタンド部材１０２のカバー部材１０８の突出部１０８ａがスライダ１０６の斜面部１０６ｄを乗り越えた後の回動角度位置では、完全に開状態になっていなくても、スタンド部材１０２の回動が抑制されるので、スタンド部材１０２のカバー部材１０８の突出部１０８ａが平坦面部１０６ｃの上に保持される。これにより、スタンド部材１０２が完全に開状態になる前の回動角度位置で、スタンド部材１０２の位置が保持されてしまうという不都合があった。この状態で、スタンド部材１０２に水平方向（図１９のＤ方向）の一定以上の大きさの外力が加えられた場合には、スタンド部材１０２の位置が安定せず、スタンド部材１０２が図１９のＥ方向に回動する場合があるため、液晶テレビ１５０を安定して支持するのが困難であるという問題点があった。
【００１２】
また、上記特許文献１に開示されたディスプレイのバイアス構造では、ディスプレイの回動を規制する機構が設けられていないため、クリックの凹部にレバーの突起を係合させ
てディスプレイを最大に回動させた状態から、ディスプレイをさらに回動させようとした場合には、ディスプレイが回動するという不都合がある。また、クリックを押圧するレバーは板バネにより形成されているので、クリックの凹部に係合するレバーの突起を一定以上の大きさの力でクリックの凹部の方向に付勢するのが困難であるという不都合がある。これにより、ディスプレイを回動させる方向に一定以上の大きさの力が加えられた場合に、ディスプレイが回動しやすいという不都合がある。その結果、ディスプレイを安定して支持するのが困難であるという問題点がある。
【００１３】
また、上記特許文献２に開示されたモニタテレビ（表示装置）などの角度調整機構では、脚部材の係合溝に板バネの係合突起を係合させているため、板バネの係合突起を一定以上の大きさの力で脚部材の係合溝の方向に付勢するのが困難であるという不都合がある。これにより、モニタテレビを回動させる方向に一定以上の大きさの力が加えられた場合に、モニタテレビが回動しやすいという不都合がある。また、脚部材には、所定の間隔を隔てて複数の係合溝が設けられているので、係合溝の間の位置で板バネの係合突起が保持される。これにより、脚部材の係合溝に板バネの係合突起が係合していない回動角度位置で、モニタテレビの位置が保持されてしまうという不都合がある。この状態で、モニタテレビに外力が加えられた場合には、モニタテレビが回動しやすくなるので、モニタテレビを安定して支持するのが困難であるという問題点がある。
【００１４】
また、上記特許文献３に開示された電子機器（表示装置）の取付装置では、軸受部の外周部分の溝に弾性を有する金属製のカバーの両端部を係合させているため、金属製のカバーの両端部を一定以上の大きさの力で軸受部の溝の方向に付勢するのが困難であるという不都合がある。これにより、表示装置を回動させる方向に一定以上の大きさの力が加えられた場合に、表示装置が回動する場合があるので、表示装置を安定して支持するのが困難であるという問題点がある。
【００１５】
この発明は、上記のような課題を解決するためになされたものであり、この発明の１つの目的は、一定以上の大きさの力に対しても、液晶テレビおよび表示装置を安定して支持することが可能な液晶テレビ用スタンドおよび表示装置用スタンドを提供することである。
【課題を解決するための手段】
【００１６】
上記目的を達成するために、この発明の第１の局面による液晶テレビ用スタンドは、液晶テレビの背面に取り付けられるベース部材と、ベース部材に回動可能に取り付けられ、ベース部材に対して所定の角度傾斜された開状態のスタンド位置で液晶テレビを支持するとともに、ベース部材に対して閉じた閉状態でベース部材に収納可能なスタンド部材とを備えた液晶テレビ用スタンドにおいて、ベース部材に取り付けられ、スタンド部材がスタンド位置以上に回動するのを規制するための規制部を含む保持部材と、スタンド部材の先端部を押圧するための押圧部材と、押圧部材をスタンド部材の方向に付勢する圧縮コイルバネとをさらに備える。そして、ベース部材は、ボス部を含み、押圧部材には、スタンド部材が閉状態から開状態に回動される際に、スタンド部材の先端部を押圧しながらスタンド部材に当接する第１斜面部および第２斜面部を有する先端が尖った三角形状の断面の突起部と、ベース部材のボス部に対応する部分に溝部とが設けられ、スタンド部材には、開状態で、押圧部材の第１斜面部に当接する切り欠き部が設けられるとともに、スタンド部材の押圧部材により押圧される先端部には、金属製の補強片が取り付けられている。
【００１７】
この第１の局面による液晶テレビ用スタンドでは、上記のように、押圧部材に、スタンド部材を押圧しながらスタンド部材に当接する第１斜面部および第２斜面部からなる三角形状の断面の突起部を設けることによって、スタンド部材が閉状態から開状態に向かって回動された場合において、スタンド部材が押圧部材の第１斜面部に当接するとともに第１
斜面部を越える前では、スタンド部材を所定の角度回動させたとしても、圧縮コイルバネによりスタンド部材の方向に付勢される押圧部材の第１斜面部によってスタンド部材が押圧されるので、スタンド部材を閉状態の回動位置に戻すことができる。また、スタンド部材が閉状態から開状態に向かって回動された場合において、スタンド部材が押圧部材の第１斜面部を越えて第２斜面部に到達した後には、圧縮コイルバネによりスタンド部材の方向に付勢される押圧部材の第２斜面部によってスタンド部材が押圧されるので、その第２斜面部の押圧力によって、スタンド部材を開状態の回動位置（スタンド位置）に自動的に配置することができる。これにより、スタンド部材が、閉状態または開状態以外の途中の位置で保持されるのを抑制することができる。その結果、液晶テレビをスタンド位置で安定して支持することができる。
【００１８】
また、第１の局面では、押圧部材をスタンド部材の方向に付勢する圧縮コイルバネを設けることによって、付勢力の大きな圧縮コイルバネを用いれば、板バネなどの弾力性を有する金属製の部材を用いる場合に比べて、より強い押圧力でスタンド部材を押圧することができる。これにより、スタンド部材が開状態のスタンド位置で、スタンド部材を閉じる方向に回動させる一定以上の大きさの力が加わった場合にも、板バネなどの弾力性を有する金属製の部材によりスタンド部材を押圧する場合に比べて、スタンド部材が開状態から回動するのをより有効に抑制することができる。また、ベース部材に、スタンド部材がスタンド位置以上に回動するのを規制するための規制部を含む保持部材を取り付けることによって、スタンド部材がスタンド位置以上に回動しようとした場合であっても、保持部材の規制部により、スタンド部材がスタンド位置以上に回動するのを抑制することができる。また、スタンド部材に、開状態で、押圧部材の第１斜面部に当接する切り欠き部を設けることによって、圧縮コイルバネによりスタンド部材の方向に付勢される押圧部材の第１斜面部をスタンド部材の切り欠き部に当接させることができるので、スタンド部材を開状態（スタンド位置）でより安定して維持することができる。また、ベース部材に、ボス部を形成するとともに、押圧部材に、ベース部材のボス部に対応する部分に溝部を形成することによって、押圧部材と、押圧部材をスタンド部材の方向に付勢するための圧縮コイルバネとをベース部材に配置する際に、ベース部材のボス部を押圧部材の溝部に係合させることができる。これにより、圧縮コイルバネを撓ませるとともに押圧部材をスタンド部材の方向に押圧するように配置する場合であっても、ベース部材のボス部により、圧縮コイルバネを撓ませた状態のまま押圧部材を配置することができるので、容易に、押圧部材および圧縮コイルバネをベース部材に組み付けることができる。また、スタンド部材の押圧部材により押圧される先端部に、金属製の補強片を取り付けることによって、スタンド部材の押圧部材を押圧する部分が、一定以上の大きさの力で押圧部材に押圧される場合でも、金属製の補強片によりスタンド部材が破損するのを抑制することができる。
【００１９】
この発明の第２の局面による表示装置用スタンドは、表示装置の背面に取り付けられるベース部材と、ベース部材に回動可能に取り付けられ、ベース部材に対して所定の角度傾斜された開状態のスタンド位置で表示装置を支持するとともに、ベース部材に対して閉じた閉状態でベース部材に収納可能なスタンド部材と、ベース部材に取り付けられ、スタンド部材がスタンド位置以上に回動するのを規制するための規制部を含む保持部材と、スタンド部材の先端部を押圧するための押圧部材と、押圧部材をスタンド部材の方向に付勢する圧縮コイルバネとを備え、押圧部材は、スタンド部材が閉状態から開状態に回動される際に、スタンド部材の先端部を押圧しながらスタンド部材に当接する第１斜面部および第２斜面部を有する先端が尖った三角形状の断面の突起部を含む。
【００２０】
この第２の局面による表示装置用スタンドでは、上記のように、押圧部材に、スタンド部材を押圧しながらスタンド部材に当接する第１斜面部および第２斜面部からなる三角形状の断面の突起部を設けることによって、スタンド部材が閉状態から開状態に向かって回動された場合において、スタンド部材が押圧部材の第１斜面部に当接するとともに第１斜
面部を越える前では、スタンド部材を所定の角度回動させたとしても、圧縮コイルバネによりスタンド部材の方向に付勢される押圧部材の第１斜面部によってスタンド部材が押圧されるので、スタンド部材を閉状態の回動位置に戻すことができる。また、スタンド部材が閉状態から開状態に向かって回動された場合において、スタンド部材が押圧部材の第１斜面部を越えて第２斜面部に到達した後には、圧縮コイルバネによりスタンド部材の方向に付勢される押圧部材の第２斜面部によってスタンド部材が押圧されるので、その第２斜面部の押圧力によって、スタンド部材を開状態の回動位置（スタンド位置）に自動的に配置することができる。これにより、スタンド部材が、閉状態または開状態以外の途中の位置で保持されるのを抑制することができる。その結果、表示装置をスタンド位置で安定して支持することができる。また、押圧部材をスタンド部材の方向に付勢する圧縮コイルバネを設けることによって、付勢力の大きな圧縮コイルバネを用いれば、板バネなどの弾力性を有する金属製の部材を用いる場合に比べて、より強い押圧力でスタンド部材を押圧することができる。これにより、スタンド部材が開状態のスタンド位置で、スタンド部材を閉じる方向に回動させる一定以上の大きさの力が加わった場合にも、板バネなどの弾力性を有する金属製の部材によりスタンド部材を押圧する場合に比べて、スタンド部材が開状態から回動するのをより有効に抑制することができる。また、ベース部材に、スタンド部材がスタンド位置以上に回動するのを規制するための規制部を含む保持部材を取り付けることによって、スタンド部材がスタンド位置以上に回動しようとした場合であっても、保持部材の規制部により、スタンド部材がスタンド位置以上に回動するのを抑制することができる。
【００２１】
上記第２の局面による表示装置用スタンドにおいて、好ましくは、スタンド部材には、開状態で、押圧部材の第１斜面部に当接する切り欠き部が設けられている。このように構成すれば、圧縮コイルバネによりスタンド部材の方向に付勢される押圧部材の第１斜面部を、スタンド部材の切り欠き部に当接させることができるので、スタンド部材を開状態（スタンド位置）でより安定して維持することができる。
【００２２】
上記第２の局面による表示装置用スタンドにおいて、好ましくは、ベース部材は、ボス部を含み、押圧部材には、ベース部材のボス部に対応する部分に溝部が設けられている。このように構成すれば、押圧部材と、押圧部材をスタンド部材の方向に付勢するための圧縮コイルバネとをベース部材に配置する際に、ベース部材のボス部を押圧部材の溝部に係合させることができる。これにより、圧縮コイルバネを撓ませるとともに押圧部材をスタンド部材の方向に押圧するように配置する場合であっても、ベース部材のボス部により、圧縮コイルバネを撓ませた状態のまま押圧部材を配置することができるので、容易に、押圧部材および圧縮コイルバネをベース部材に組み付けることができる。
【００２３】
上記第２の局面による表示装置用スタンドにおいて、好ましくは、スタンド部材の押圧部材により押圧される先端部には、金属製の補強片が取り付けられている。このように構成すれば、スタンド部材の押圧部材を押圧する部分が、一定以上の大きさの力で押圧部材に押圧される場合でも、金属製の補強片によりスタンド部材が破損するのを抑制することができる。
【発明を実施するための最良の形態】
【００２４】
以下、本発明を具体化した実施形態を図面に基づいて説明する。
【００２５】
図１は、本発明の一実施形態による液晶テレビ用スタンドを液晶テレビの背面に取り付けた状態を示した正面図である。図２〜図１０は、図１に示した本発明の一実施形態による液晶テレビ用スタンドの詳細構造を説明するための図である。なお、本実施形態では、本発明の表示装置用スタンドを液晶テレビ用スタンド２０に適用した場合について説明する。
【００２６】
本発明の一実施形態による液晶テレビ用スタンド２０は、図１および図２に示すように、液晶テレビ５０の背面５１にネジ６０（図１参照）により取り付けられる樹脂製のベース部材１と、ベース部材１に回動可能に取り付けられるスタンド部材２と、スタンド部材２の下部に取り付けられるゴム製の接地部材３とを有している。なお、スタンド部材２は、液晶テレビ２０をスタンド位置で支持する開状態、または、液晶テレビ５０の背面５１側に閉じた閉状態で維持される。
【００２７】
また、図３に示すように、ベース部材１は、６つのボス部１ａと、４つのボス部１ｂと、ベース部材１の内部の空洞を補強する補強リブ１ｃと、スタンド部材２側に形成された当接部１ｄ（図１参照）と、スライダ収納部１ｅとを有している。また、６つのボス部１ａには、それぞれ、ネジ穴１ｆが設けられている。また、４つのボス部１ｂには、それぞれ、ネジ６０（図１参照）が挿入されるネジ挿入穴１ｇが設けられている。また、スライダ収納部１ｅの内部には、ボス部１ｈが形成されている。
【００２８】
また、ベース部材１には、図５に示すように、６つのネジ６１をベース部材１の６つのボス部１ａ（図３参照）に設けられたネジ穴１ｆ（図３参照）に締め付けることにより、金属製の保持部材４が取り付けられている。この保持部材４は、図３および図９に示すように、スタンド部材２がスタンド位置以上に回動するのを規制するための規制部４ａと、ベース部材１の方向に折り曲げられた一対の側壁４ｂとが設けられている。また、保持部材４には、ベース部材１の６つのボス部１ａに設けられるネジ穴１ｆに対応する位置にネジ挿入穴４ｃが設けられるとともに、ベース部材１の４つのボス部１ｂに設けられるネジ挿入穴１ｇに対応する位置にネジ挿入穴４ｄが設けられている。また、ベース部材１の４つのボス部１ｂに設けられるネジ挿入穴１ｇおよび保持部材４のネジ挿入穴４ｄを介して、ネジ６０（図１参照）を締め付けることにより、液晶テレビ用スタンド２０が液晶テレビ５０の背面５１（図１参照）に取り付けられる。また、一対の側壁４ｂには、後述する回転軸１０が挿入される回転軸挿入孔４ｅが設けられている。
【００２９】
また、図３に示すように、ベース部材１のスライダ収納部１ｅには、２つの圧縮コイルバネ５が嵌め込まれたスライダ６が配置されている。なお、スライダ６は、本発明の「押圧部材」の一例である。この２つの圧縮コイルバネ５は、スライダ６に設けられた２つのバネ嵌合孔６ａに嵌め込まれている。また、図４に示すように、バネ嵌合孔６ａは、Ｄ２（約６．４ｍｍ）の深さを有するように形成されている。このバネ嵌合孔６ａの深さＤ２は、従来の液晶テレビ用スタンド１２０に配置されたスライダ１０６に設けられたバネ嵌合孔１０６ａの深さＤ１（約９．４ｍｍ：図１６参照）よりも小さく形成されている。これにより、圧縮コイルバネ５を、従来の圧縮コイルバネ１０５と同じものを用いた場合でも、圧縮コイルバネ５を従来の圧縮コイルバネ１０５より多く撓ませることができるので、圧縮コイルバネ５が取り付けられたスライダ６をより大きな力でスタンド部材２の方向に押圧することが可能となる。
【００３０】
ここで、本実施形態では、スライダ６には、スタンド部材２を回動させる際に、スタンド部材２に押圧される斜面部６ｃおよび６ｄからなる先端が尖った三角形状の断面の突起部６ｂが形成されている。なお、斜面部６ｃは、本発明の「第１斜面部」の一例であり、斜面部６ｄは、本発明の「第２斜面部」の一例である。
【００３１】
また、本実施形態では、スライダ６には、ベース部材１のスライダ収納部１ｅに設けられたボス部１ｈ（図３参照）に対応する部分に溝部６ｅが設けられている。これにより、スライダ６と、スライダ６をスタンド部材２の方向に付勢するための圧縮コイルバネ５とをベース部材１に配置する際に、ベース部材１のボス部１ｈをスライダ６の溝部６ｅに係合させることが可能となる。その結果、圧縮コイルバネ５を撓ませるとともにスライダ６
をスタンド部材２の方向に押圧するように配置する場合であっても、ベース部材１のボス部１ｈにより、圧縮コイルバネ５を撓ませた状態のままスライダ６を配置することが可能となるので、容易に、スライダ６および圧縮コイルバネ５をベース部材１に組み付けることが可能となる。
【００３２】
また、図３、図６および図８に示すように、スタンド部材２は、樹脂製のメインスタンド７と、メインスタンド７にネジ６２により取り付けられる金属製のカバー部材８とを有している。このスタンド部材２は、メインスタンド７の回転軸取付孔７ａおよび保持部材４の回転軸挿入孔４ｅ（図９参照）に挿入されるとともに、ベース部材１の回転軸支持部１ｉに支持される回転軸１０を中心に回動可能に取り付けられている。また、メインスタンド７は、上記回転軸取付孔７ａと、外面部７ｂと、ベース部材１側の曲面を有する先端部７ｃと、コードを通すためのコード挿入部７ｄと、メインスタンド７の内部の空洞を補強するための補強リブ７ｅとを有している。また、図６および図１０に示すように、メインスタンド７の外面部７ｂには、液晶テレビ５０を傾斜させた状態で、ベース部材１の当接部１ｄに当接することにより、スタンド部材２がスタンド位置以上に回動するのを規制するための突起部７ｆが形成されている。
【００３３】
また、本実施形態では、図６および図８に示すように、メインスタンド７の先端部７ｃには、上記したスライダ６の三角形状の突起部６ｂ（図４参照）に係合する切り欠き部７ｇが設けられている。この切り欠き部７ｇは、スライダ６の突起部６ｂの斜面部６ｃに当接するように形成されている。
【００３４】
また、本実施形態では、図７に示すように、メインスタンド７に取り付けられた金属製のカバー部材８の突出部８ａには、スライダ６を押圧する部分に金属製の補強片９が取り付けられている。これにより、スタンド部材２のスライダ６を押圧する部分が、一定以上の大きさの力でスライダ６に押圧される場合でも、金属製の補強片９によりスタンド部材２が破損するのを抑制することが可能となる。また、カバー部材８の突出部８ａと、カバー部材８の突出部８ａに取り付けられる補強片９とは、メインスタンド７の先端部７ｃよりもスライダ６の方向に突出するように設けられている。
【００３５】
図１１および図１２は、液晶テレビ用スタンドの開閉動作を説明するための断面図である。次に、図１０〜図１２を参照して、液晶テレビ用スタンド２０の開閉動作を説明する。まず、図１０に示す液晶テレビ用スタンド２０が液晶テレビ５０の背面５１（図２参照）側に閉じた閉状態から、スタンド部材２を、図１０の矢印Ｆ方向に回動させる。このとき、カバー部材８の突出部８ａに取り付けられる補強片９が、スライダ６の斜面部６ｃに当接するとともに、斜面部６ｃを押圧することによって、スライダ６が圧縮コイルバネ５の付勢力に抗して、図９の矢印Ｇ方向に移動される。さらに、この状態から、スタンド部材２を回動させることによって、図１１に示すように、カバー部材８の突出部８ａに取り付けられる補強片９が、スライダ６の斜面部６ｃを越えた状態となる。このとき、スライダ６の斜面部６ｄにより、カバー部材８の突出部８ａに取り付けられた補強片９が図１１の矢印Ｈ方向に押圧されるため、スタンド部材２が図１１の矢印Ｉ方向に回動する。そして、図１２に示すように、カバー部材８の突出部８ａに取り付けられる補強片９が、ベース部材１に取り付けられる保持部材４の規制部４ａに当接するとともに、メインスタンド７の突起部７ｆがベース部材１の当接部１ｄに当接するまで、スタンド部材２が回動される。さらに、この場合、スライダ６の斜面部６ｃがメインスタンド７の切り欠き部７ｇに当接した状態となる。これにより、液晶テレビ５０をスタンド位置で支持することが可能となる。
【００３６】
本実施形態では、上記のように、スライダ６に、カバー部材８の突出部８ａに取り付けられた補強片９を押圧しながらカバー部材８の突出部８ａに取り付けられた補強片９に当
接する斜面部６ｃおよび斜面部６ｄからなる三角形状の断面の突起部６ｂを設けることによって、スタンド部材２が閉状態から開状態に向かって回動された場合において、カバー部材８の突出部８ａに取り付けられた補強片９がスライダ６の斜面部６ｃに当接するとともに斜面部６ｃを越える前では、スタンド部材２を所定の角度回動させたとしても、圧縮コイルバネ５によりスタンド部材２の方向に付勢されるスライダ６の斜面部６ｃによってカバー部材８の突出部８ａに取り付けられた補強片９が押圧されるので、スタンド部材２を閉状態の回動位置に戻すことができる。また、スタンド部材２が閉状態から開状態に向かって回動された場合において、スタンド部材２がスライダ６の斜面部６ｃを越えて斜面部６ｄに到達した後には、圧縮コイルバネ５によりスタンド部材２の方向に付勢されるスライダ６の斜面部６ｄによってカバー部材８の突出部８ａに取り付けられた補強片９が押圧されるので、その斜面部６ｄの押圧力によって、スタンド部材２を開状態の回動位置（スタンド位置）に自動的に配置することができる。これにより、スタンド部材２が、閉状態または開状態以外の途中の位置で保持されるのを抑制することができる。その結果、液晶テレビ５０をスタンド位置で安定して支持することができる。
【００３７】
また、本実施形態では、スライダ６をスタンド部材２の方向に付勢する圧縮コイルバネ５をベース部材１の内部に配置することによって、付勢力の大きな圧縮コイルバネ５を用いれば、板バネなどの弾力性を有する金属製の部材を用いる場合に比べて、より強い押圧力でスタンド部材２を押圧することができる。これにより、スタンド部材２が開状態のスタンド位置で、スタンド部材２を閉じる方向に回動させる一定以上の大きさの力が加わった場合にも、板バネなどの弾力性を有する金属製の部材によりスタンド部材２を押圧する場合に比べて、スタンド部材２が開状態から回動するのをより有効に抑制することができる。
【００３８】
また、本実施形態では、ベース部材１に、スタンド部材２がスタンド位置以上に回動するのを規制するための規制部４ａを含む保持部材４を取り付けることによって、スタンド部材２がスタンド位置以上に回動しようとした場合であっても、保持部材４の規制部４ａにより、スタンド部材２がスタンド位置以上に回動するのを抑制することができる。
【００３９】
また、本実施形態では、スタンド部材２に、開状態で、スライダ６の斜面部６ｃに当接する切り欠き部７ｇを設けることによって、圧縮コイルバネ５によりスタンド部材２の方向に付勢されるスライダ６の斜面部６ｃを、スタンド部材２の切り欠き部７ｇに当接させることができるので、スタンド部材２を開状態（スタンド位置）でより安定して維持することができる。これにより、図１３に示すように、スタンド部材２を開状態にするとともに、液晶テレビ５０を傾斜させた状態で、傾斜角θ（約１５°）を有する傾斜面９０に載置した場合であっても、液晶テレビ５０を安定して支持することができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
たとえば、上記実施形態では、本発明を、表示装置用スタンドの一例としての液晶テレビ用スタンドに適用した例を示したが、本発明はこれに限らず、スタンドを備えた表示装置であれば、プラズマディスプレイなどの他の表示装置のスタンドに適用してもよい。
【００４２】
また、上記実施形態では、ベース部材にボス部を設けるとともに、スライダに溝部を設ける例を示したが、本発明はこれに限らず、ボス部および溝部を設けなくてもよい。
【００４３】
また、上記実施形態では、カバー部材の突出部に補強片を取り付ける例を示したが、本
発明はこれに限らず、補強片を取り付けなくてもよい。この場合、スライダに接触するカバー部材は、金属製であることが好ましい。
【図面の簡単な説明】
【００４４】
【図１】本発明の一実施形態による液晶テレビ用スタンドを液晶テレビの背面に取り付けた状態を示した正面図である。
【図２】図１に示した本発明の一実施形態による液晶テレビ用スタンドを液晶テレビの背面に取り付けた状態を示した側面図である。
【図３】図１に示した本発明の一実施形態による液晶テレビ用スタンドの分解斜視図である。
【図４】図１に示した本発明の一実施形態による液晶テレビ用スタンドのスライダを示した斜視図である。
【図５】図１に示した本発明の一実施形態による液晶テレビ用スタンドの背面図である。
【図６】図１に示した本発明の一実施形態による液晶テレビ用スタンドのスタンド部材を示した斜視図である。
【図７】図６の２００−２００線に沿った断面図である。
【図８】図１に示した本発明の一実施形態による液晶テレビ用スタンドのスタンド部材の背面を示した斜視図である。
【図９】図１に示した本発明の一実施形態による液晶テレビ用スタンドの保持部材を示した斜視図である。
【図１０】図１の１００−１００線に沿った断面図である。
【図１１】図１に示した本発明の一実施形態による液晶テレビ用スタンドの開閉動作を説明するための断面図である。
【図１２】図１に示した本発明の一実施形態による液晶テレビ用スタンドの開閉動作を説明するための断面図である。
【図１３】図１に示した本発明の一実施形態による液晶テレビ用スタンドが取り付けられた液晶テレビを傾斜面に載置した状態を示した側面図である。
【図１４】従来の一例による液晶テレビ用スタンドを液晶テレビの背面に取り付けた状態を示した平面図である。
【図１５】図１４に示した従来の液晶テレビ用スタンドのスタンド部材を示した斜視図である。
【図１６】図１４に示した従来の液晶テレビ用スタンドのスライダを示した斜視図である。
【図１７】図１４の３００−３００線に沿った断面図である。
【図１８】図１４に示した従来の一例による液晶テレビ用スタンドの開閉動作を説明するための断面図である。
【図１９】図１４に示した従来の一例による液晶テレビ用スタンドの問題点を説明するための断面図である。
【符号の説明】
【００４５】
１  ベース部材
１ｈ  ボス部
２  スタンド部材
４  保持部材
４ａ  規制部
５  圧縮コイルバネ
６  スライダ
６ｂ  突起部
６ｃ  斜面部（第１斜面部）
６ｄ  斜面部（第２斜面部）
６ｅ  溝部
７ｇ  切り欠き部
９  補強片
２０  液晶テレビ用スタンド（表示装置用スタンド）
５０  液晶テレビ（表示装置）
５１  背面
【図１】
2006173848.tif 000003
【図２】
2006173848.tif 000004
【図３】
2006173848.tif 000005
【図４】
2006173848.tif 000006
【図５】
2006173848.tif 000007
【図６】
2006173848.tif 000008
【図７】
2006173848.tif 000009
【図８】
2006173848.tif 000010
【図９】
2006173848.tif 000011
【図１０】
2006173848.tif 000012
【図１１】
2006173848.tif 000013
【図１２】
2006173848.tif 000014
【図１３】
2006173848.tif 000015
【図１４】
2006173848.tif 000016
【図１５】
2006173848.tif 000017
【図１６】
2006173848.tif 000018
【図１７】
2006173848.tif 000019
【図１８】
2006173848.tif 000020
【図１９】
2006173848.tif 000021